(57)【要約】【課題】耐用年数を延ばすことが可能で、しかも、土壌表面や土中で分解し、使用後に回収する必要もない防草シートセットを提供する。【解決手段】防草シートセット１は、地面に敷設することにより雑草の生育を抑制する、約１．５ｍ角の大きさの防草シート２と、防草シート２を地面に固定するための杭３と、を備えている。防草シート２は木綿生地からなっている。杭３は、竹製や木製の割り箸や串である。防草シート２には、その中央部に約１５ｃｍの切込み２ａが形成されている。そして、これにより、例えば、果樹園の地面に果樹の苗木４を植栽した後、果樹の苗木４の上から防草シート２を被せるだけで、当該切込み２ａを通して防草シート２の上に果樹の苗木４を出現させることができる。【選択図】図３
0003234677.tif 000002
【実用新案登録請求の範囲】
【請求項１】
地面に敷設することにより雑草の生育を抑制する防草シートと、前記防草シートを前記地面に固定するための杭と、を備えた防草シートセットであって、
前記防草シートは木綿生地又は麻生地からなり、前記杭は自然素材からなることを特徴とする防草シートセット。
【請求項２】
前記防草シートに木タールが塗布又は浸漬されている、請求項１に記載の防草シートセット。
【請求項３】
前記自然素材からなる杭として、竹製又は木製の杭が用いられる、請求項１又は２に記載の防草シートセット。
【考案の詳細な説明】
【技術分野】
【０００１】
本考案は、例えば、山地や丘陵地、畔や土手、電気柵の下、花壇、果樹園等の地面に敷設することにより、雑草の生育を抑制することを可能にする防草シートセットに関する。
【背景技術】
【０００２】
杉や檜の苗木、果樹の苗木、草花等を植栽した場合、定期的に下草（雑草）の除去作業を行う必要がある。特に近年では、雑草の繁殖を抑えるために、人手による雑草の除去や除草剤の使用による雑草の除去が行われている。
しかし、人手による雑草の除去は、非常に大変な作業であり、除草剤の使用による雑草の除去では、土壌の汚染が危惧される。
【０００３】
そこで、最近では、雑草の繁殖を防ぐ方法として、防草シートを用いる方法が採用されるようになってきた。防草シートは、例えば、山地や丘陵地、畔や土手、電気柵の下、花壇、果樹園等の地面に敷設することにより、雑草の生育を抑制することを可能にするものである。防草シートの素材としては、主に、不織布や紙などが使用されており、使用する期間によって選択される。また、防草シートの耐用年数を延ばすことを目的として、コルク粒と合成樹脂や天然ゴム・合成ゴム等を混練り、圧延して得られる素材を使用したものも提案されている（例えば、特許文献１等を参照）。
【先行技術文献】
【特許文献】
【０００４】
【特許文献１】特開２００２−１５３１４６号公報
【考案の概要】
【考案が解決しようとする課題】
【０００５】
しかし、不織布製の防草シートは、元々化学繊維であり、土壌表面や土中で分解しないため、使用後に回収しなければならず、回収後、不要になったシートの廃棄処理が環境汚染の点から問題となる。このことは、特許文献１で提案されている防草シートについても同様である。
また、紙製の防草シートは、土壌に馴染み易いため、腐食が早く、長期の使用には不向きである。
なお、防草シートは、電気柵の下の雑草の繁殖を防ぐ用途にも使用されているが、当該防草シートが短期に劣化してしまうと、下草（雑草）が漏電事故を引き起こす虞もある。
【０００６】
本考案は、従来技術における前記課題を解決するためになされたものであり、耐用年数を延ばすことが可能で、しかも、土壌表面や土中で分解し、使用後に回収する必要もない（環境にやさしい）防草シートセットを提供することを目的とする。
【課題を解決するための手段】
【０００７】
前記目的を達成するため、本考案に係る防草シートセットの構成は、
（１）地面に敷設することにより雑草の生育を抑制する防草シートと、前記防草シートを前記地面に固定するための杭と、を備えた防草シートセットであって、
前記防草シートは木綿生地又は麻生地からなり、前記杭は自然素材からなることを特徴とする。
木綿生地は、丈夫で保温性が高く、特に、撥水性と通気性のバランスに優れている。
麻生地は、通気性が良く、カビや雑菌の繁殖を抑えることもできる。
【０００８】
本考案の防草シートセットの上記（１）の構成は、以下のような作用効果を奏する。
すなわち、上記（１）の構成によれば、防草シートが木綿生地又は麻生地からなっているため、紙製の防草シートに比べて耐用年数を延ばすことが可能となる。また、木綿生地や麻生地も自然素材からなる杭も、土壌表面や土中で分解することが可能である。
従って、上記（１）の構成によれば、耐用年数を延ばすことが可能で、しかも、土壌表面や土中で分解し、使用後に回収する必要もない（環境にやさしい）防草シートセットを提供することができる。
【０００９】
本考案の防草シートセットの上記（１）の構成においては、以下の（２），（３）のような構成にすることが好ましい。
【００１０】
（２）上記（１）の構成において、前記防草シートに木タールが塗布又は浸漬されている。木タールとは、木材の乾留によって得られる黒褐色の粘性のある液体のことである。
【００１１】
上記（２）の好ましい構成によれば、防草シートを花壇や果樹園等の地面に敷設した場合に、イノシシ、ハクビシン、シカ、サル、イタチ、キツネ、アライグマ、ヘビ、モグラ等の野生動物が嫌がる臭気を広範囲に拡散させることができる。このため、これら野生動物を撃退（忌避）して、農作物の被害を最小限に抑えることが可能となる。  また、木タールは防腐効果を発揮することもできるため、木綿生地又は麻生地からなる防草シートの耐用年数を大幅に向上させることができ、およそ５年程度の耐用年数が見込めるものと考えられる。  なお、木タールは、天然物であるため、合成化学品と異なり、土壌菌によって徐々に分解され土壌を汚染することはない。また、農作物や人体に悪影響を及ぼすこともない。
【００１２】
自然素材からなる杭に木タールを塗布又は浸漬するか否かは任意である。
【００１３】
（３）上記（１）又は（２）の構成において、前記自然素材からなる杭として、竹製又は木製の杭が用いられる。身近なものとしては、竹製や木製の割り箸や串を挙げることができる。
【考案の効果】
【００１４】
本考案によれば、耐用年数を延ばすことが可能で、しかも、土壌表面や土中で分解し、使用後に回収する必要もない（環境にやさしい）防草シートセットを提供することができる。
【図面の簡単な説明】
【００１５】
【図１】図１は、本考案の一実施形態における防草シートセットの構成を示す平面図（上面図）である。
【図２】図２は、本考案の一実施形態における防草シートセットの敷設方法を示す図（（ａ）は敷設方法を示す斜視図、（ｂ）は杭を突き刺した状態が分かる斜視図、（ｃ）は（ｂ）のＡ−Ａ線矢視断面図）である。
【図３】図３は、本考案の一実施形態における防草シートセットを、果樹園の地面に敷設して使用している状態を示す斜視図である。
【図４】図４は、本考案の一実施形態における他の防草シートセットを、電気柵の下の地面に敷設して使用している状態を示す斜視図である。
【考案を実施するための形態】
【００１６】
以下、好適な実施形態を用いて本考案をさらに具体的に説明する。但し、下記の実施形態は本考案を具現化した例に過ぎず、本考案はこれに限定されるものではない。
【００１７】
［防草シートセットの構成］
まず、本考案の一実施形態における防草シートセットの構成について、図１を参照しながら説明する。
【００１８】
図１は、本考案の一実施形態における防草シートセットの構成を示す平面図（上面図）である。
【００１９】
図１に示すように、本実施形態の防草シートセット１は、地面に敷設することにより雑草の生育を抑制する防草シート２と、防草シート２を地面に固定するための杭３と、を備えている。ここで、杭３は、１枚の防草シート２当たり６本用意されている。
防草シート２は木綿生地からなっており、杭３は自然素材からなっている。
木綿生地は、丈夫で保温性が高く、特に、撥水性と通気性のバランスに優れている。
【００２０】
本実施形態の防草シートセット１のかかる構成は、以下のような作用効果を奏する。
すなわち、かかる構成によれば、防草シート２が木綿生地からなっているため、紙製の防草シートに比べて耐用年数を延ばすことが可能となる。また、木綿生地も自然素材からなる杭３も、土壌表面や土中で分解することが可能である。
従って、かかる構成によれば、耐用年数を延ばすことが可能で、しかも、土壌表面や土中で分解し、使用後に回収する必要もない（環境にやさしい）防草シートセットを提供することができる。
【００２１】
以下、さらに詳細に説明する。
防草シート２の大きさは、約１．５ｍ角とコンパクトであり、その重量は約３００ｇと軽量である。このため、山地や丘陵地などの急斜面においても簡単に当該防草シート２の敷設作業を行うことができる。また、防草シート２には、その中央部に約１５ｃｍの切込み２ａが形成されている。そして、これにより、例えば、果樹園の地面に果樹の苗木４を植栽した後、果樹の苗木４の上から防草シート２を被せるだけで、当該切込み２ａを通して防草シート２の上に果樹の苗木４を出現させることができる（図３を参照）。
【００２２】
なお、ここでは、約１．５ｍ角の大きさの防草シート２を例に挙げて説明しているが、必ずしもこの大きさの防草シートに限定されるものではない。防草シートの大きさは、例えば、幅：約１ｍ、約１．２ｍ、約１．５ｍ、約２ｍ；長さ：約１ｍ〜約５５ｍから選ばれる任意の組合せのものであってもよい。
【００２３】
防草シート２を構成する木綿生地の全面には、木タールが塗布又は浸漬されている。木タールとは、木材の乾留によって得られる黒褐色の粘性のある液体のことである。
かかる構成によれば、防草シート２を花壇や果樹園等の地面に敷設した場合に、イノシシ、ハクビシン、シカ、サル、イタチ、キツネ、アライグマ、ヘビ、モグラ等の野生動物が嫌がる臭気を広範囲に拡散させることができる。このため、これら野生動物を撃退（忌避）して、農作物の被害を最小限に抑えることが可能となる。  また、木タールは防腐効果を発揮することもできるため、木綿生地からなる防草シート２の耐用年数を大幅に向上させることができ、およそ５年程度の耐用年数が見込めるものと考えられる。  なお、木タールは、天然物であるため、合成化学品と異なり、土壌菌によって徐々に分解され土壌を汚染することはない。また、農作物や人体に悪影響を及ぼすこともない。
【００２４】
また、自然素材からなる杭３にも、木タールが塗布又は浸漬されていてもよいが、自然素材からなる杭３に木タールを塗布又は浸漬するか否かは任意である。
【００２５】
自然素材からなる杭３としては、竹製や木製の杭を用いることが好ましい。身近なものとしては、長さ約３０ｃｍの竹製や木製の割り箸や串を挙げることができる。
【００２６】
［防草シートセットの敷設使用方法］
次に、本実施形態における防草シートセットの敷設使用方法について、図２〜図４をも参照しながら説明する。
【００２７】
図２は、本考案の一実施形態における防草シートセットの敷設方法を示す図（（ａ）は敷設方法を示す斜視図、（ｂ）は杭を突き刺した状態が分かる斜視図、（ｃ）は（ｂ）のＡ−Ａ線矢視断面図）、図３は、当該防草シートセットを、果樹園の地面に敷設して使用している状態を示す斜視図、図４は、本考案の一実施形態における他の防草シートセットを、電気柵の下の地面に敷設して使用している状態を示す斜視図である。
【００２８】
防草シートセット１を敷設するに際しては、防草シート２に、杭３を突き刺すための切れ目等を入れるマイナスドライバー５を準備しておく（図１を参照）。但し、防草シート２に切れ目等を入れる器具はマイナスドライバー５に限定されるものではない。例えば、釘やハサミ等を用いて、防草シート２に切れ目等を入れるようにしてもよい。また、杭の先端が尖っていれば、マイナスドライバー５等の器具は必ずしも準備する必要はない。
【００２９】
まず、マイナスドライバー５を用いて、防草シート２の四隅及び略中央部の２箇所に小さめの切れ目（図示せず）を入れる。
次いで、図２に示すように、果樹園等の地面の上に防草シート２を広げる。
次いで、同じく図２に示すように、防草シート２の切れ目にそれぞれ杭３を突き刺す（打つ）。これにより、防草シート２が果樹園等の地面に敷設固定される。この場合、防草シート２の略中央部の２箇所に杭３をクロスさせて突き刺せば、防草シート２が剥がれる（吹き飛ぶ）ことを十分に防止することが可能となる。なお、防草シート２が剥がれる（吹き飛ぶ）のが心配であれば、適宜、杭３の本数を増やせばよい。
【００３０】
防草シート２を果樹園等の地面に敷設固定するに際しては、以上のように、防草シート２を広げて杭３を打つだけでよいので、防草シート２の敷設作業をスピーディーに行うことができる。
なお、複数の防草シート２を敷設固定する場合には、隣り合う防草シート２の縁部を重ね合わせてもよく、互いに接触しないように離間させてもよい。
【００３１】
実際に、果樹園の果樹の苗木の周囲に防草シート２を敷設固定する場合には、図３に示すように、まず、果樹園の地面に果樹の苗木４を植栽する。次いで、果樹の苗木４の上から防草シート２を被せる。これにより、切込み２ａを通して防草シート２の上に果樹の苗木４が出現する。次いで、上記のようにして、防草シート２の切れ目にそれぞれ杭３を突き刺す。なお、この場合、防草シート２の中央部に位置して果樹の苗木４が植栽されており、防草シート２が剥がれる（吹き飛ぶ）心配は少ないので、防草シート２の略中央部の２箇所に突き刺す杭３は省略してもよい。図３においても、図示を省略している。
以上の敷設作業工程は、山地や丘陵地に杉や檜の苗木等を植栽する場合も同様である。
【００３２】
以上のように果樹園の果樹の苗木４の周囲や山地や丘陵地の杉や檜の苗木等の周囲に耐用年数の長い防草シート２を敷設固定すれば、防草シートの敷設作業を繰り返し頻繁に行う必要がなくなり、他の作業にも十分な時間をまわすことが可能となるため、全体として作業効率の向上を図ることが可能となる。
【００３３】
また、電気柵の下に防草シートを敷設固定する場合には、図４に示すような、長さの長い防草シート２’を備えた防草シートセット１’が使用される。防草シート２’の大きさは、例えば、幅：約１．５ｍ；長さ：約１０ｍである。防草シート２’も木綿生地からなり、当該木綿生地の全面には木タールが塗布又は浸漬されている。また、防草シート２’の幅方向の両縁部には、上記と同様に、マイナスドライバー５を用いて、約１．５ｍ置きに切れ目（図示せず）が入れられている。
この場合には、図４に示すように、まず、電気柵６が設置される予定の地面に防草シート２’を広げる。
次いで、同じく図４に示すように、防草シート２’の切れ目にそれぞれ杭３を突き刺す（打つ）。これにより、防草シート２’が地面に敷設固定される。
次いで、同じく図４に示すように、防草シート２’の上に電気柵６を設置する。
なお、この場合、防草シート２’の中心線上は、電気柵６で押さえ付けられた状態となり、防草シート２’が剥がれる（吹き飛ぶ）心配は少ないので、防草シート２’の中心線上に突き刺す杭３は省略してもよい。図４においても、図示を省略している。
【００３４】
以上のように電気柵６の下に耐用年数の長い防草シート２’を敷設固定すれば、防草シートが短期に劣化して、下草（雑草）が漏電事故を引き起こすことを十分に防止することが可能となる。
【００３５】
なお、上記実施形態においては、防草シート２，２’を構成する木綿生地の全面に、木タールが塗布又は浸漬されている場合を例に挙げて説明した。しかし、本考案は必ずしもこのような構成に限定されるものではない。木タールは木綿生地の全面に塗布又は浸漬されていることが好ましいが、木綿生地に木タールが塗布又は浸漬されていない部分があっても所期の目的を達成することはできる。
【００３６】
また、上記実施形態においては、防草シート２が木綿生地からなっている場合を例に挙げて説明した。しかし、本考案は必ずしもこのような構成に限定されるものではない。防草シートは麻生地からなっていてもよい。
麻生地は、通気性が良く、カビや雑菌の繁殖を抑えることもできる。
【００３７】
防草シートが麻生地からなっていれば、防草シートが木綿生地からなっている場合と同様、紙製の防草シートに比べて耐用年数を延ばすことが可能となる。また、麻生地も、土壌表面や土中で分解することが可能である。
従って、防草シートが麻生地からなっていても、耐用年数を延ばすことが可能で、しかも、土壌表面や土中で分解し、使用後に回収する必要もない（環境にやさしい）防草シートセットを提供することができる。
【００３８】
また、防草シートを構成する麻生地に木タールを塗布又は浸漬すれば、上記と同様に、野生動物を撃退（忌避）して、農作物の被害を最小限に抑えることが可能になると共に、麻生地からなる防草シートの耐用年数を大幅に向上させることができる。
なお、麻生地の方が、木タールを含浸させやすく、耐用年数をより向上させることができる。
【符号の説明】
【００３９】
１，１’  防草シートセット
２，２’  防草シート
２ａ  切込み
３  杭
４  果樹の苗木
５  マイナスドライバー
６  電気柵
【図１】
0003234677.tif 000003
【図２】
0003234677.tif 000004
【図３】
0003234677.tif 000005
【図４】
0003234677.tif 000006